(57)【要約】【課題】クランパとディスク載置部とを引きつけるためのマグネットの脱落を防止し、ディスクを安定して保持する。【解決手段】ディスククランパ３２には、クランパ側ヨーク４４を一部遮蔽するための庇部４６が設けられた開口部４７を備える。マグネットの脱落を防止するとともに、ディスククランパとディスク載置部との間でディスク状記録媒体を安定して挟持する磁力を維持できる。また、マグネットを載置側ヨークに接着する工程が簡略化され製造効率が上がり、接着剤にかかる製造コストも低減できる。【選択図】　図３
2004103156.tif 000002
【特許請求の範囲】
【請求項１】
ディスク状記録媒体を載置する載置部を有するターンテーブルと、
上記ディスク状記録媒体をターンテーブル上に位置決めするセンター部と、
上記センター部の回転中心軸外周部付近に設けられた金属製ヨークに吸着固定された円環状のマグネットを有し、
上記センター部と略対向する位置に上記マグネットと吸着する金属製円環状ヨークが固定され、上記金属製円環状ヨークを一部遮蔽するための庇部が設けられた開口部を有するディスククランパとを備えたことを特徴とするディスクチャッキング機構。
【請求項２】
上記金属製ヨークとマグネットは、磁気的に吸着されているのみであることを特徴とする請求項１記載の記録再生装置。
【請求項３】
ディスク状記録媒体を載置する載置部を有するターンテーブルと、上記ディスク状記録媒体をターンテーブル上で位置決めするセンター部と、上記センター部の回転中心軸外周部付近に設けられた金属製ヨークに吸着固定された円環状のマグネットを有し、上記センター部と略対向する位置に上記マグネットと吸着する金属製円環状ヨークが固定され、上記金属製円環状ヨークを一部遮蔽するための庇部が設けられた開口部を有するディスククランパを備えるディスクチャッキング機構と、
上記ディスク状記録媒体に対して情報を記録する及び／又は再生するレンズ系を含む光学系と、
上記ディスク状記録媒体からの戻り光を検出する光検出部と、
上記レンズ系のフォーカス及びトラッキング制御を行うフォーカストラッキング機構と
を備えることを特徴とする記録再生装置。
【請求項４】
上記チャッキング機構における上記金属製ヨークとマグネットは、磁気的に吸着されているのみであることを特徴とする請求項３記載の記録再生装置。
【発明の詳細な説明】
【０００１】
【発明の属する技術分野】
本発明は、ディスクチャッキング機構及びこの機構を備えた記録再生装置に関し、特に、ターンテーブルに載置されたディスクを押さえるためクランパとの間のマグネットの脱落を防止したディスクチャッキング機構及び記録再生装置に関する。
【０００２】
【従来の技術】
コンパクトディスク（ＣＤ）等の光学読み取り式のディスクや、相変化型ディスクに対して情報を記録及び再生可能な記録再生装置における従来技術として、特開平１１−３０６６２９等に開示されている。
【０００３】
従来のディスクチャッキング機構６０を図４及び図５に示す。図４（ａ）は、ディスクチャッキング機構６０のターンテーブル６１の平面図を示し、図４（ｂ）は、ディスクチャッキング機構６０のディスククランパ６２の平面図を示す。また、図５は、ディスクチャッキング機構６０のディスクチャッキング時の横断面図を示す。
【０００４】
ディスクチャッキング機構６０は、主として、ターンテーブル６１とディスククランパ６２とセンター部６３とを備え、スピンドルモータ６４によって回転されるようにその中央円筒部６５にモータ軸６６が圧入されている。また、ターンテーブル６１は、ディスク載置部６７を備えており、ここにディスク６８が載置される。
【０００５】
センター部６３の中心軸外周部には、内部に設けられた金属製の載置側ヨーク７０に円環状のマグネット７１が吸着固定され、さらに接着剤７７により接着されている。
【０００６】
ディスククランパ６２の金属製円環状のクランパ側ヨーク７５がセンター部６３の円環状のマグネット７１に吸引されることにより、ディスク６８はターンテーブル６１のディスク載置部６７とディスククランパ６２との間で挟持されるようになっている。
【０００７】
【発明が解決しようとする課題】
ところが、載置側ヨーク７０と円環状のマグネット７１との間に塗布された接着剤が経年劣化してくると、記録再生装置自身に強い衝撃が加わった際に、図６に示すようにマグネット７１が脱落し、ディスククランパ側の金属製円環状ヨーク７５に吸着してしまうという不具合が生じることがある。
【０００８】
そこで本発明は、上述のような課題に鑑みてなされたものであり、マグネットの脱落を防止し、ディスクを安定して保持できるディスクチャッキング機構及びこのディスクチャッキング機構を備える記録再生装置を提供することを目的とする。
【０００９】
【課題を解決するための手段】
上述の目的を達成するために、本発明に係るディスクチャッキング機構は、ディスク状記録媒体を載置する載置部を有するターンテーブルと、ディスク状記録媒体をターンテーブル上に位置決めするセンター部と、センター部の回転中心軸外周部付近に設けられた金属製ヨークに吸着固定された円環状のマグネットを有し、センター部と略対向する位置にマグネットと吸着する金属製円環状ヨークが固定され、金属製円環状ヨークを一部遮蔽するための庇部が設けられた開口部を有するディスククランパとを備えたことを特徴とする
【００１０】
ここで、金属製ヨークとマグネットは、接着剤等を用いることなく、単に磁気的に吸着されているのみとすることができる。
【００１１】
また、上述の目的を達成するために、本発明に係る記録再生装置は、ディスク状記録媒体を載置する載置部を有するターンテーブルと、ディスク状記録媒体をターンテーブル上で位置決めするセンター部と、センター部の回転中心軸外周部付近に設けられた金属製ヨークに吸着固定された円環状のマグネットを有し、センター部と略対向する位置にマグネットと吸着する金属製円環状のヨークが固定され、金属製円環状ヨークを一部遮蔽するための庇部が設けられた開口部を有するディスククランパを備えるディスクチャッキング機構と、ディスク状記録媒体に対して情報を記録する及び／又は再生するレンズ系を含む光学系と、ディスク状記録媒体からの戻り光を検出する光検出部と、レンズ系のフォーカス及びトラッキング制御を行うフォーカストラッキング機構とを備えることを特徴とする。
【００１２】
ここで、チャッキング機構における金属製ヨークとマグネットは、接着自答を用いることなく、単に磁気的に吸着されているのみとすることができる。
【００１３】
【発明の実施の形態】
以下、本発明の具体例について図面を参照して詳細に説明する。図１は、記録再生装置１の構成を概略的に示したものである。記録再生装置１は、ディスク２に対するディスクチャッキング機構３及び光学ヘッド装置４を備えている。
【００１４】
ディスク２としては、コンパクトディスク（ＣＤ）等の光学読み取り式のディスクや、相変化型ディスク等があげられる。ディスクの中央にセンターホールが形成された円板状記録媒体の全てに適用可能である。また、記録再生装置１には、記録又は再生専用の装置のほか、再生及び記録の両方が可能な装置が含まれ、据え置き型、携帯型のような使用形態は問わない。
【００１５】
ディスクチャッキング機構３は、ディスク２を載置して駆動源の動力で回転させるための回転載置部材としてのターンテーブルを備えており、後述するようにディスククランパとの間でディスクを保持している。
【００１６】
また、光ディスク装置４は、ディスク２に記録された情報を再生したり、ディスク２に対して情報を記録するために使用され、対物レンズ４ａを含むレンズ系、光学、光検出部（フォトディテクタ等）、フォーカス及びトラッキング制御機構を備えている。
【００１７】
図２及び図３にディスクチャッキング機構３の基本的構成を示す。図２（ａ）は、ディスクチャッキング機構３のターンテーブル側の平面図を示し、図２（ｂ）は、ディスクチャッキング機構３のディスククランパの平面図を示す。また、図３は、ディスクチャッキング機構３のディスクチャッキング時の横断面図を示す。
【００１８】
ディスクチャッキング機構３は、主として、ターンテーブル３１とディスククランパ３２とセンター部３３とを備えている。
【００１９】
ターンテーブル３１は、スピンドルモータ３４によって回転されるようにその中央円筒部３５にモータ軸３６が圧入されている。また、ターンテーブル３１は、ディスク載置部３７を備えており、ここにディスク２が載置される。また、スピンドルモータ３４は、シャーシ５に取り付けられて支持されている。
【００２０】
センター部３３の中心軸外周部には、金属製の載置側ヨーク３９に円環状のマグネット４０が吸着固定され、さらに接着剤により接着されている。このマグネット４０は、後述するディスククランパ３２の対向位置に設けられた金属製円環状ヨーク４４と引き合うようになっている。
【００２１】
ディスククランパ３２には、金属製円環状のクランパ側ヨーク４４を一部遮蔽するための庇部４６（図２（ｂ）、図３）が設けられた開口部４７が設けられている。ディスク２は、このディスククランパ３２によりターンテーブル３１のディスク載置部３７との間で挟持され、衝撃等によって中心ずれを起こさないように保持されている。
【００２２】
上述のようなディスクチャッキング機構３とすることにより、ディスク２がディスク載置部３７に載置された際には、互いに対向する位置に設けられたマグネットとヨークが引き合うことにより、ディスク２がディスククランパ３２とディスク載置部３７との間で挟持されて、載置されたディスク２の中心ずれが防止される。
【００２３】
特に、本具体例では、庇部４６によってマグネット４０の一部が遮蔽されるためマグネット表面の磁束が規制され、マグネット４０のクランパ側ヨーク４４に対する吸着力がマグネット４０の載置側ヨーク４０に対する吸着力よりも弱まることになる。
【００２４】
この結果、仮にマグネット４０を載置側ヨーク４０に接着している接着剤強度が経年劣化によって低減するようなことがあったとしても、マグネット表面Ａ，Ｂと各ヨークとの間に生じる磁束密度の違いから、マグネット４０が載置側ヨーク３９から離れてディスククランパ３２のクランパ側ヨーク４４に吸着してしまうような不具合が防止できる。
【００２５】
また、庇部４６によってクランパ側ヨーク４４の遮蔽度を調整すれば、マグネット４０のクランパ側ヨーク４４に対する磁気的な吸着力を制御できるため、ディスククランパ３２とディスク載置部３７との間でディスク２を安定して挟持する磁力を維持しつつ、マグネット４０と載置側ヨーク３９とを接着固定しなくてもよい状態が実現できる。これにより、マグネット４０を載置側ヨーク３９に接着する工程が簡略化され製造効率が上がり、また、接着剤にかかる製造コストも低減できる。
【００２６】
【発明の効果】
以上詳細に説明したように、本発明に係るディスクチャッキング機構は、ディスク状記録媒体を載置する載置部を有するターンテーブルと、ディスク状記録媒体をターンテーブル上に位置決めするセンター部と、センター部の回転中心軸外周部付近に設けられた金属製ヨークに吸着固定された円環状のマグネットを有し、センター部と略対向する位置にマグネットと吸着する金属製円環状ヨークが固定され、金属製円環状ヨークを一部遮蔽するための庇部が設けられた開口部を有するディスククランパとを備えたため、庇部によってマグネットとディスククランパ側の金属製円環状ヨークの遮蔽度を調整できるようになるため、マグネットのクランパ側ヨークに対する磁気的な吸着力を制御できる。これにより、マグネットの脱落を防止するとともに、ディスククランパとディスク載置部との間でディスク状記録媒体を安定して挟持する磁力を維持できる。
【００２７】
また、庇部により、マグネットのディスククランパ側の金属製円環状ヨークに対する磁気的な吸着力を制御できるため、金属製の載置側ヨークとマグネットとを接着剤等により接着固定しなくてもよい。これにより、マグネットを載置側ヨークに接着する工程が簡略化され製造効率が上がり、接着剤にかかる製造コストも低減できる。
【００２８】
また、本発明に係る記録再生装置は、庇部を有した特徴あるディスククランパを備えることにより、マグネットとクランパ側ヨークの遮蔽度を調整できるようになるため、マグネットのクランパ側ヨークに対する磁気的な吸着力を制御できる。これにより、マグネットの脱落を防止するとともに、ディスククランパとディスク載置部との間でディスク状記録媒体を安定して挟持する磁力を維持できる。
【００２９】
また、庇部により、マグネットのクランパ側ヨークに対する磁気的な吸着力を制御できるため、載置側ヨークとマグネットとを接着剤等により接着固定しなくてもよい。これにより、マグネットを金属製ヨークに接着する工程が簡略化され製造効率が上がり、接着剤にかかる製造コストも低減できる。
【図面の簡単な説明】
【図１】本発明の具体例として示す記録再生装置の構成の概略図である。
【図２】（ａ）は、上記記録再生装置のディスクチャッキング機構のターンテーブル側の平面図であり、（ｂ）は、ディスクチャッキング機構のディスククランパの平面図である。
【図３】上記記録再生装置におけるディスクチャッキング機構のディスクチャッキング時の横断面図である。
【図４】（ａ）は、従来の記録再生装置のディスクチャッキング機構のターンテーブル側の平面図であり、（ｂ）は、ディスクチャッキング機構のディスククランパの平面図である。
【図５】従来の記録再生装置におけるディスクチャッキング機構のディスクチャッキング時の横断面図である。
【図６】従来の記録再生装置において、ディスクチャッキング時にマグネットが脱落した様子を説明する横断面図である。
【符号の説明】
１　　　　記録再生装置
２　　　　ディスク
３　　　　ディスクチャッキング機構
４　　　　光学ヘッド装置
３１　　　ターンテーブル
３２　　　ディスククランパ
３３　　　センター部
３４　　　スピンドルモータ
３５　　　中央円筒部
３６　　　モータ軸
３７　　　ディスク載置部
３９　　　載置側ヨーク
４０　　　マグネット
４４　　　クランパ側ヨーク
４６　　　庇部
【図１】
2004103156.tif 000003
【図２】
2004103156.tif 000004
【図３】
2004103156.tif 000005
【図４】
2004103156.tif 000006
【図５】
2004103156.tif 000007
【図６】
2004103156.tif 000008